(57)【特許請求の範囲】
【請求項１】
装置本体と、
互いに間隔を隔てて並列配置される複数の感光体と、それらに対向される各現像剤担持体とを保持し、前記装置本体内に装着される装着位置と、前記装置本体から引き出される引出位置とに移動可能な保持ユニットと、
各前記感光体に対向配置されるエンドレスベルトと、
前記保持ユニットを挟んで前記エンドレスベルトに対向するように前記装置本体に着脱可能に設けられ、現像剤像が転写される被転写部材を供給する供給トレイと
を備え、
前記保持ユニットは、
各前記感光体を保持し、前記装置本体内に装着される装着位置と、前記装置本体から引き出される引出位置とに移動可能な第１保持部材と、
各前記現像剤担持体を保持し、前記装置本体内に装着される装着位置と、前記装置本体から引き出される引出位置とに移動可能な第２保持部材と
を備え、
前記装置本体には、前記保持ユニットを通過させる本体開口部が形成されており、
前記装置本体は、
前記本体開口部を開放する開位置と、前記本体開口部を閉鎖する閉位置とに移動可能なカバー部材と、
前記カバー部材の前記閉位置から前記開位置への移動に連動して、前記第２保持部材を前記装着位置から退避させ、前記カバー部材の前記開位置から前記閉位置への移動に連動して、前記第２保持部材を、退避された状態から前記装着位置へ移動させる連動機構とを備え、
前記第２保持部材は、前記装着位置から、前記供給トレイが前記装置本体から離脱されることにより形成される空間に退避された後、前記引出位置に移動される
ことを特徴とする、画像形成装置。
【請求項２】
各前記感光体に対応して前記第２保持部材に設けられ、前記感光体を露光する複数の露光ユニットを備えることを特徴とする、請求項１に記載の画像形成装置。
【請求項３】
前記エンドレスベルトに対して前記感光体と同じ方向から対向され、前記エンドレスベルトをクリーニングするクリーニングユニットを備えていることを特徴とする、請求項２に記載の画像形成装置。
【請求項４】
前記クリーニングユニットは、廃トナーを収容する廃トナー収容部を備え、
前記廃トナー収容部は、前記第２保持部材に設けられていることを特徴とする、請求項３に記載の画像形成装置。
【請求項５】
装置本体と、
互いに間隔を隔てて並列配置される複数の感光体と、それらに対向される各現像剤担持体とを保持し、前記装置本体内に装着される装着位置と、前記装置本体から引き出される引出位置とに移動可能な保持ユニットと、
各前記感光体に対向配置されるエンドレスベルトと、
前記保持ユニットを挟んで前記エンドレスベルトに対向するように前記装置本体に着脱可能に設けられ、現像剤像が転写される被転写部材を供給する供給トレイと
を備え、
前記保持ユニットは、各前記感光体と各前記現像剤担持体とを一体的に保持しており、
前記装置本体には、前記保持ユニットを通過させる本体開口部が形成されており、
前記装置本体は、
前記本体開口部を開放する開位置と、前記本体開口部を閉鎖する閉位置とに移動可能なカバー部材と、
前記カバー部材の前記閉位置から前記開位置への移動に連動して、前記保持ユニットを前記装着位置から退避させ、前記カバー部材の前記開位置から前記閉位置への移動に連動して、前記保持ユニットを、退避された状態から前記装着位置へ移動させる連動機構とを備え、
前記保持ユニットは、前記装着位置から、前記供給トレイが前記装置本体から離脱されることにより形成される空間に、前記エンドレスベルトから離間するように退避された後、前記引出位置に移動されることを特徴とする、画像形成装置。
【請求項６】
前記装置本体には、
前記供給トレイ上の被転写部材を搬送する第１搬送経路と、
前記供給トレイに上の被転写部材とは別の被転写部材が供給され、供給された被転写部材を前記第１搬送経路の途中に搬送する第２搬送経路と
が形成されており、
前記供給トレイは、前記第２搬送経路に供給された被転写部材を搬送する搬送部材を備えていることを特徴とする、請求項１ないし５のいずれか一項に記載の画像形成装置。
【請求項７】
前記供給トレイ上の被転写部材を供給する供給部材を備え、
前記供給部材は、前記保持ユニットが前記装着位置に配置されている状態において、前記保持ユニットのスライド方向に投影したときに、前記保持ユニットと重なるように配置されていることを特徴とする、請求項１ないし６のいずれか一項に記載の画像形成装置。
【発明の詳細な説明】
【技術分野】
【０００１】
本発明は、電子写真方式が採用される画像形成装置に関する。
【背景技術】
【０００２】
従来、電子写真方式のカラープリンタとして、イエロー、マゼンタ、シアン、ブラックの各色に対応した感光ドラムを並列に配置した、いわゆるタンデム型のカラープリンタが知られている。
【０００３】
このようなカラープリンタとして、各色に対応するドラムを有する各プロセスカートリッジと、各ドラムが上から接触されるエンドレスベルトと、各プロセスカートリッジを保持し、装置本体から引き出し可能に構成された保持部材（トレイおよびトレイ保持部材）とを備え、ドアの開閉に連動して各ドラムがエンドレスベルトに対して接触または離間するように、保持部材とドアとを、連動機構を介して連動させた画像形成装置が提案されている（たとえば、下記特許文献１参照。）。
【先行技術文献】
【特許文献】
【０００４】
【特許文献１】特開２００８−２９２８０４号公報
【発明の概要】
【発明が解決しようとする課題】
【０００５】
しかるに、上記した特許文献１に記載のカラープリンタでは、ドアの開く動作に連動して、保持部材を上方へ移動させて、各ドラムをエンドレスベルトから離間させ、ドアの閉じる動作に連動して、保持部材を下方へ移動させて、各ドラムをエンドレスベルトに接触させている。
【０００６】
そのため、保持部材とスキャナユニットとの間に、各プロセスカートリッジを上下方向に移動させるための空間を設けなければならず、その空間の分、画像形成装置が大型化している。
【０００７】
そこで、本発明の目的は、各感光体を保持する保持ユニットを装置本体から引き出し可能な構成を有しながら、その大型化を抑制することができる画像形成装置を提供することにある。
【課題を解決するための手段】
【０００８】
上記した課題を解決するため、本発明は、画像形成装置であって、装置本体と、互いに間隔を隔てて並列配置される複数の感光体と、それらに対向される各現像剤担持体とを保持し、前記装置本体内に装着される装着位置と、前記装置本体から引き出される引出位置とに移動可能な保持ユニットと、各前記感光体に対向配置されるエンドレスベルトと、前記保持ユニットを挟んで前記エンドレスベルトに対向するように前記装置本体に着脱可能に設けられ、現像剤像が転写される被転写部材を供給する供給トレイとを備え、前記保持ユニットは、前記装着位置から、前記供給トレイが前記装置本体から離脱されることにより形成される空間に、前記エンドレスベルトから離間するように退避された後、前記引出位置に移動されることを特徴としている。
【発明の効果】
【０００９】
この発明によれば、保持ユニットは、供給トレイが装置本体から離脱されることにより形成される空間に、エンドレスベルトから離間するように退避された後、引出位置に移動される。
【００１０】
そのため、装置本体内に、別途、保持ユニットをエンドレスベルトから退避させるための空間を設けることなく、供給トレイが装置本体から離脱されることにより形成される空間を利用して、保持ユニットをエンドレスベルトから退避させることができる。
【００１１】
その結果、各感光体を保持する保持ユニットを装置本体から引き出し可能な構成を有しながら、その大型化を抑制することができる。
【図面の簡単な説明】
【００１２】
【図１】本発明の画像形成装置の一例としてのカラープリンタの第１実施形態を示す断面図である。
【図２】図１に示すフロントカバーと支持部材との連動を説明するための説明図であって、フロントカバーが閉位置に配置され、支持部材が第１位置に配置されている状態を示す。
【図３】図１に示すフロントカバーと支持部材との連動を説明するための説明図であって、フロントカバーが開位置に配置され、支持部材が第２位置に配置されている状態を示す。
【図４】図１に示す給紙トレイの分解断面図である。
【図５】第２搬送経路のジャム処理を説明する説明図であって、給紙トレイを離脱させた状態を示す。
【図６】図１に示すドラムドロワおよび現像ドロワの本体ケーシングからの引き出しを説明するための説明図であって、本体ケーシングから給紙トレイを離脱させた後、フロントカバーを開位置に配置して、現像ドロワを退避位置に退避させた状態を示す。
【図７】図６に続いて、ドラムドロワの本体ケーシングからの引き出しを説明するための説明図であって、ドラムドロワを引き出した状態を示す。
【図８】図６に続いて、現像ドロワの本体ケーシングからの引き出しを説明するための説明図であって、現像ドロワを引き出した状態を示す。
【図９】カラープリンタの第２実施形態を示す断面図である。
【図１０】図９に示すプロセスユニットの本体ケーシングからの引き出しを説明するための説明図であって、本体ケーシングから給紙トレイを離脱させた後、フロントカバーを開位置に配置して、プロセスユニットを退避位置に退避させた状態を示す。
【図１１】図１０に続いて、プロセスユニットの本体ケーシングからの引き出しを説明するための説明図であって、プロセスユニットを引き出した状態を示す。
【発明を実施するための形態】
【００１３】
１．カラープリンタの全体構成
図１に示すように、画像形成装置の一例としてのカラープリンタ１は、横置きタイプの中間転写型カラープリンタである。
【００１４】
また、カラープリンタ１は、装置本体の一例としての本体ケーシング２と、本体ケーシング２の上に設けられ、原稿の画像情報を読み取るフラットベッドスキャナ３とを一体的に備える複合機である。
【００１５】
カラープリンタ１は、本体ケーシング２内において、被転写部材の一例としての用紙Ｐを給紙するための給紙部４と、給紙された用紙Ｐに画像を形成するための画像形成部５とを備えている。
（１）本体ケーシング
本体ケーシング２は、給紙部４および画像形成部５を収容する側面視略矩形状のボックス形状に形成されており、その一方側壁には、本体開口部６が形成されており、カバー部材の一例としてのフロントカバー７が、その下端部を支点として、本体開口部６を閉鎖する閉位置と、本体開口部６を開放する開位置とに揺動（移動）可能に設けられている。
【００１６】
なお、以下の説明において、フロントカバー７が設けられる側（図１における紙面左側）を前側とし、その反対側（図１における紙面右側）を後側とする。また、カラープリンタ１を前側から見たときを左右の基準とする。すなわち、図１の紙面手前側が右側であり、紙面奥側が左側である。
（２）給紙部
給紙部４は、用紙Ｐを収容する供給トレイの一例としての給紙トレイ８を備えている。
【００１７】
給紙トレイ８は、本体ケーシング２内の底部に着脱自在に装着されている。また、給紙トレイ８は、用紙Ｐの後端部を昇降させるリフト部材９を備えている。
【００１８】
リフト部材９は、前後に延びる略平板形状に形成され、給紙トレイ８の後側半分の底面に、その前端部を支点として揺動可能に設けられている。また、リフト部材９の後端部は、ばねなどの付勢部材（図示せず）により、常には、上側に向かって付勢されている。
【００１９】
そして、リフト部材９は、付勢部材（図示せず）の付勢力によって、後側へ向かうに従って上側へ傾斜するように起立され、用紙Ｐの後端部は、ピックアップローラ１０（後述）に向かって上昇されてリフト部材９とピックアップローラ１０（後述）との間に挟持されている。
【００２０】
また、給紙部４には、給紙トレイ８の後端部上側において、リフト部材９の後端部の上側に対向配置される供給部材の一例としてのピックアップローラ１０と、ピックアップローラ１０の後側に配置される給紙ローラ１１と、給紙ローラ１１の下側に対向配置される給紙パッド１２と、給紙ローラ１１に後側から接触される上下１対のピンチローラ１３と、給紙ローラ１１の上側に配置され、互いに前後方向に対向される１対のレジストローラ１４とが設けられている。
【００２１】
そして、給紙トレイ８上の用紙Ｐ（図１実線参照）は、ピックアップローラ１０の回転により、給紙ローラ１１と給紙パッド１２との間に送られ、給紙ローラ１１の回転により１枚ずつ捌かれる。その後、捌かれた用紙Ｐは、給紙ローラ１１の回転により、給紙ローラ１１と各ピンチローラ１３との間を順次通過するように、上側の両レジストローラ１４間に向けて給紙され、レジストローラ１４の回転により、所定のタイミングで、画像形成部５（中間転写ベルト３０（後述）と二次転写ローラ２７（後述）との対向位置Ｎ）に供給される（第１搬送経路）。
（３）画像形成部
画像形成部５は、給紙部４の上側に配置されており、保持ユニットの一例としてのプロセスユニット１５、転写ユニット１７および定着ユニット１８を備えている。
（３−１）プロセスユニット
プロセスユニット１５は、第１保持部材の一例としてのドラムドロワ１２１と、第２保持部材の一例としての現像ドロワ１２２とを備えている。
【００２２】
ドラムドロワ１２１は、本体ケーシング２内に装着される装着位置と、本体ケーシング２から引き出される引出位置とに、前後方向に沿ってスライド可能に設けられ、各色に対応する４つの感光ドラム２０と、各感光ドラム２０に対応する４つのスコロトロン型帯電器２１とを一体的に保持している。
【００２３】
各感光ドラム２０は、前後方向に互いに間隔を隔てて並列配置されている。具体的には、前側から後側に向かって、ブラック感光ドラム２０Ｋ、イエロー感光ドラム２０Ｙ、マゼンタ感光ドラム２０Ｍおよびシアン感光ドラム２０Ｃが、順次配置されている。
【００２４】
各スコロトロン型帯電器２１は、対応する感光ドラム２０の後下側に、感光ドラム２０と間隔を隔てて対向配置されている。
【００２５】
現像ドロワ１２２は、ドラムドロワ１２１の下側において、本体ケーシング２内に装着される装着位置と、本体ケーシング２から引き出される引出位置とに、前後方向に沿ってスライド可能に設けられ、各感光ドラム２０に対応する４つの現像ユニット２２と、各感光ドラム２０に対応する４つの露光ユニットの一例としてのＬＥＤユニット１６とを一体的に保持している。また、現像ドロワ１２２は、前後方向に投影したときにピックアップローラ１０と重なるように、ピックアップローラ１０の前側において、給紙トレイ８に上側から対向配置されている。
【００２６】
各現像ユニット２２は、対応する感光ドラム２０の前下側に配置されるように、前後方向に互いに間隔を隔てて並列配置されている。具体的には、前側から後側に向かって、ブラック現像ユニット２２Ｋ、イエロー現像ユニット２２Ｙ、マゼンタ現像ユニット２２Ｍおよびシアン現像ユニット２２Ｃが、順次配置されている。
【００２７】
また、各現像ユニット２２は、現像剤担持体の一例としての現像ローラ２３を備えている。
【００２８】
現像ローラ２３は、現像ユニット２２の上端において、上側（後上側）から露出されるように回転可能に支持されており、感光ドラム２０に対して下側から接触されている。
【００２９】
なお、現像ユニット２２は、現像ローラ２３にトナーを供給する供給ローラ２４、現像ローラ２３に供給されたトナーの厚みを規制する層厚規制ブレード２５を備えている。また、各現像ユニット２２は、供給ローラ２４の下側において、各色に対応する現像剤の一例としてのトナーを収容するトナー収容部３９を備えている。トナー収容部３９は、左右方向に延びる２つの円筒が前後方向に連結された２連筒形状に形成されている。
【００３０】
各ＬＥＤユニット１６は、対応する現像ユニット２２の後側において、対応する感光ドラム２０に下方から対向するように設けられている。ＬＥＤユニット１６は、所定の画像データに基づいて、対応する感光ドラム２０の表面を露光する。
（３−２）転写ユニット
転写ユニット１７は、ベルトユニット２６と二次転写ローラ２７とを備えている。
【００３１】
ベルトユニット２６は、プロセスユニット１５の上側において、各感光ドラム２０に上側から対向するように、前後方向に沿って配置されている。
【００３２】
ベルトユニット２６は、駆動ローラ２８、従動ローラ２９、エンドレスベルトの一例としての中間転写ベルト３０、および、４つの一次転写ローラ３１を備えている。
【００３３】
駆動ローラ２８および従動ローラ２９は、前後方向に間隔を隔てて対向配置されている。
【００３４】
中間転写ベルト３０は、その下側部分が各感光ドラム２０に接触されるように、駆動ローラ２８および従動ローラ２９の周りに掛け渡されている。また、中間転写ベルト３０は、駆動ローラ２８の駆動により、各感光ドラム２０と接触する下側部分が前側から後側に向かって移動するように、周回移動されている。
【００３５】
各一次転写ローラ３１は、各感光ドラム２０と、それぞれ中間転写ベルト３０の下側部分を挟んで対向するように、設けられている。
【００３６】
二次転写ローラ２７は、ベルトユニット２６の駆動ローラ２８と、中間転写ベルト３０を挟んで対向するように、ベルトユニット２６の後方に設けられている。
（３−３）定着ユニット
定着ユニット１８は、二次転写ローラ２７の上側に配置され、加熱ローラ３７、および、加熱ローラ３７に対向する加圧ローラ３８を備えている。
（３−４）画像形成動作
（３−４−１）現像動作
現像ユニット２２内のトナーは、供給ローラ２４に供給され、さらに、現像ローラ２３に供給される。
【００３７】
現像ローラ２３に供給されたトナーは、現像ローラ２３の回転に伴って、層厚規制ブレード２５によって厚さが規制され、一定厚さの薄層として現像ローラ２３の表面に担持される。また、現像ローラ２３に供給されたトナーは、層厚規制ブレード２５と現像ローラ２３との間で正極性に摩擦帯電される。
【００３８】
一方、感光ドラム２０の表面は、感光ドラム２０の回転に伴って、スコロトロン型帯電器２１により一様に正帯電された後、ＬＥＤユニット１６により露光される。これにより、用紙Ｐに形成すべき画像に対応した静電潜像が感光ドラム２０の表面に形成される。
【００３９】
感光ドラム２０がさらに回転すると、現像ローラ２３の表面に担持され、かつ、正帯電されているトナーが、感光ドラム２０の表面に形成されている静電潜像に供給される。これにより、感光ドラム２０の静電潜像は可視像化され、感光ドラム２０の表面には、反転現像によるトナー像が担持される。
（３−４−２）転写・定着動作
感光ドラム２０の表面に反転現像により担持されたトナー像は、前側から後側へ移動される中間転写ベルト３０の下側部分に順次、一次転写される。これにより、中間転写ベルト３０にカラー画像が形成される。
【００４０】
中間転写ベルト３０に形成されたカラー画像は、中間転写ベルト３０が二次転写ローラ２７との対向位置Ｎを通過する間に、給紙部４から供給される用紙Ｐに、二次転写される。
【００４１】
そして、用紙Ｐに転写されたカラー画像は、定着ユニット１８において、用紙Ｐが加熱ローラ３７と加圧ローラ３８との間を通過する間に、加熱および加圧されることによって用紙Ｐに熱定着される。
（４）排紙
定着ユニット１８においてトナー像を定着された用紙Ｐは、各排紙ローラ３２によって、本体ケーシング２の上面に形成される排紙トレイ３３上に排紙される。
（５）フラットベッドスキャナ
フラットベッドスキャナ３は、排紙トレイ３３の上方に設けられている。フラットベッドスキャナ３では、原稿が押えカバー３４とガラス面３５との間に配置された後、ＣＣＤセンサ３６がスライドすることにより、原稿の画像情報が読み取られる。
【００４２】
そして、読み取られた原稿の画像情報に基づいて、画像形成部５において、上記したように、用紙Ｐに画像を形成することができる。
２．本体ケーシング
本体ケーシング２は、カラープリンタ１の外形を構成する外側ケーシング４１と、外側ケーシング４１の内側に設けられる内側ケーシング４２とを備えている。
（１）外側ケーシングの詳細
外側ケーシング４１は、略ボックス形状に形成されており、前端部において、フロントカバー７を備えている。
【００４３】
フロントカバー７は、その下端部において、外側ケーシング４１の底壁に回動可能に連結されている。また、フロントカバー７の下端部には、フロントカバー７が閉位置に配置されているときに給紙トレイ８が挿通される開口４３が形成されている。
【００４４】
また、フロントカバー７には、手差しガイド４７が設けられている。
【００４５】
手差しガイド４７は、開口４３の上端部から、プロセスユニット１５の底壁と、給紙トレイ８の用紙搬送部材との間に向かって、後下側へ延びている。
（２）内側ケーシングの詳細
内側ケーシング４２は、図１および図２に示すように、前後方向に延びる略角筒形状に形成されている。また、内側ケーシング４２は、プロセスユニット１５、ベルトユニット２６および給紙トレイ８を収容可能な上下方向長さおよび左右方向長さを有し、上側および左右両側において外側ケーシング４１と間隔を隔てるように、外側ケーシング４１内に収容されている。
【００４６】
本体ケーシング２の内側ケーシング４２には、ベルトユニット２６を収容するベルト収容部４４と、ドラムドロワ１２１を支持するドラムドロワ支持部４５と、現像ドロワ１２２を支持する現像ドロワ支持部４６とが設けられている。
（２−１）ベルト収容部
ベルト収容部４４は、内側ケーシング４２の上端部に設けられている。ベルト収容部４４には、各感光ドラム２０をベルトユニット２６に対して位置決めする１対のドラム位置決め部材４８が設けられている。
【００４７】
両ドラム位置決め部材４８は、前後方向に延びる略平板形状に形成されている。また、両ドラム位置決め部材４８は、各感光ドラム２０の通紙領域（用紙Ｐが接触する領域）よりも左右方向外側において、各感光ドラム２０に対向するように、ベルトユニット２６を挟んで左右方向に互いに間隔を隔てて配置され、その上端部において、内側ケーシング４２の上壁に固定されている。
【００４８】
また、各ドラム位置決め部材４８の下端部には、各感光ドラム２０に対応するように、４つのドラム位置決め溝４９（図２参照）が形成されている。
【００４９】
各ドラム位置決め溝４９は、ドラム位置決め部材４８の下端縁から上側へ向かって、下側へ開放される側面視略Ｕ字形状に切り欠かれ、前後方向に互いに間隔を隔てて並列配置されている。各ドラム位置決め溝４９は、感光ドラム２０の左右方向両端部の上端部を受け入れる。
（２−２）ドラムドロワ支持部
ドラムドロワ支持部４５は、内側ケーシング４２の上下方向略中央において、ベルト収容部４４の下側に連続して設けられている。ドラムドロワ支持部４５には、その左右両側壁にそれぞれ、ドラムドロワ１２１の後端部を案内する第１ガイド溝５２と、ドラムドロワ１２１の前端部を案内する第２ガイド溝５４（図２参照）とが設けられている。
【００５０】
第１ガイド溝５２は、ドラムドロワ１２１の後側ころ８５（後述）を受け入れ可能な溝幅（上下方向長さ）で、ドラムドロワ支持部４５の前後方向ほぼ全幅にわたって、前後方向に延びる略直線形状に形成されている。また、第１ガイド溝５２は、後端部の溝幅が上側に向かって拡がるように形成されている。そして、第１ガイド溝５２の後端部内には、上側へ向かって膨出する板ばね５３（図２参照）が設けられている。
【００５１】
板ばね５３は、前後方向に延びる金属製の屈曲板であり、その前端部において、第１ガイド溝５２の下壁に固定されている。詳しくは、板ばね５３は、その前端部から後上側に延び、後側へ屈曲された後、前後方向に延びるように形成されている。
【００５２】
第２ガイド溝５４は、第１ガイド溝５２の前端部の下側において、ドラムドロワ１２１の前側ころ８４（後述）を受け入れ可能な溝幅（上下方向長さ）で、前後方向に延びる略直線形状に形成されている。また、第２ガイド溝５４は、後端部の溝幅が上側に向かって拡がるように形成されている。そして、第２ガイド溝５４の後端部内には、上側へ向かって膨出する板ばね５５（図２参照）が設けられている。
【００５３】
板ばね５５は、第１ガイド溝５２内の板ばね５３と同様の形状に形成されており、その前端部において、第２ガイド溝５４の下壁に固定されている。
（２−３）現像ドロワ支持部
現像ドロワ支持部４６は、内側ケーシング４２の下端部において、ドラムドロワ支持部４５の下側に連続して設けられている。
４．プロセスユニット
（１）ドラムドロワ
ドラムドロワ１２１は、図１に示すように、上下に開放された略矩形枠形状のドラムドロワフレーム１２５を有し、そのドラムドロワフレーム１２５に、上記したように、各感光ドラム２０と各スコロトロン型帯電器２１を一体的に保持している。
【００５４】
また、ドラムドロワ１２１は、ブラック感光ドラム２０Ｋの前側において、ベルトクリーニングローラ９５を備えている。
【００５５】
ベルトクリーニングローラ９５は、中間転写ベルト３０の下側部分に下側から接触されるように、回転可能に支持されている。
【００５６】
また、ドラムドロワ１２１は、ドラムドロワフレーム１２５の左右両側壁の前端部外側に回転可能に設けられる前側ころ８４と、ドラムドロワフレーム１２５の左右両側壁の後端部外側に回転可能に設けられる後側ころ８５とを備えている。
（２）現像ドロワ
（２−１）現像ドロワフレーム
現像ドロワ１２２は、有底略矩形枠形状の現像ドロワフレーム１２６を有し、その現像ドロワフレーム１２６に、上記したように、各現像ユニット２２および各ＬＥＤユニット１６を一体的に保持している。なお、現像ドロワフレーム１２６には、上下方向に延びるガイド溝（図示せず）が形成されており、各現像ユニット２２は、ガイド溝（図示せず）にガイドされることにより、現像ドロワフレーム１２６に着脱可能に設けられている。
【００５７】
また、現像ドロワフレーム１２６には、プロセス側ローラ収容開口８３が形成されている。また、現像ドロワフレーム１２６は、プロセス側搬送部材７１を備えている。
【００５８】
プロセス側ローラ収容開口８３は、現像ドロワフレーム１２６の底壁を上下方向に貫通する側面視矩形状に形成され、現像ドロワ１２２の前後方向両端部と、各現像ユニット２２の間（上下方向または左右方向に投影したときに各現像ユニット２２の間）とに、左右方向に互いに間隔を隔てて、３つ、直列配置されている。プロセス側ローラ収容開口８３の前後方向長さは、プロセス側ローラ部材７３（後述）の外径よりも長く、プロセス側ローラ収容開口８３の左右方向長さは、プロセス側ローラ部材７３（後述）の左右方向長さよりも長い。
【００５９】
また、プロセス側搬送部材７１は、現像ドロワフレーム１２６の底壁において、現像ドロワ１２２の前後方向両端部と、各現像ユニット２２の間とに、それぞれ１つずつ（合計５つ）設けられている。
【００６０】
各プロセス側搬送部材７１は、１つのプロセス側ローラ軸７２と、プロセス側ローラ軸７２に相対回転不能に設けられる３つのプロセス側ローラ部材７３とを備えている。
【００６１】
プロセス側ローラ軸７２は、左右方向に延びる略円柱形状に形成されている。また、プロセス側ローラ軸７２は、現像ドロワフレーム１２６の左右方向長さよりも長い左右方向長さに形成されている。
【００６２】
各プロセス側ローラ部材７３は、現像ドロワフレーム１２６の底壁の厚み（上下方向長さ）よりも長い外径、および、プロセス側ローラ軸７２の外径とほぼ等しい内径を有し、左右方向に延びる略円筒形状に形成されている。
【００６３】
そして、各プロセス側搬送部材７１は、各プロセス側ローラ部材７３が、現像ドロワフレーム１２６の各プロセス側ローラ収容開口８３内にそれぞれ回転可能に収容されるとともに、プロセス側ローラ軸７２が、現像ドロワフレーム１２６の底壁に回転可能に埋設されるように、現像ドロワフレーム１２６の底壁に設けられている。
【００６４】
なお、プロセス側搬送部材７１には、図示しない駆動伝達機構を介して、本体ケーシング２から駆動力が入力される。
【００６５】
また、現像ドロワフレーム１２６は、その左右両側壁の前端部外側に回転可能に設けられる前側ころ８４１と、その左右両側壁の後端部外側に回転可能に設けられる後側ころ８５１とを備えている。
（２−２）ブラック現像ユニット
ブラック現像ユニット２２Ｋには、その前側において、廃トナー収容部９４、掻き取りローラ９６および掻き取りブレード９８が一体的に設けられている。
【００６６】
廃トナー収容部９４は、上端部に開口９７を有する略ボックス形状に形成されている。
【００６７】
掻き取りローラ９６は、廃トナー収容部９４の開口９７の上側において、開口９７に対向配置されている。また、掻き取りローラ９６は、ドラムドロワ１２１のベルトクリーニングローラ９５に下側から接触されている。
【００６８】
掻き取りブレード９８は、前後方向に延びる略平板形状に形成され、その後端部（遊端部）が掻き取りローラ９６に下側から接触されるように、その前端部（基端部）が、開口９７の前側周縁部において、廃トナー収容部９４に固定されている。
【００６９】
これにより、廃トナー収容部９４、掻き取りローラ９６および掻き取りブレード９８は、ベルトクリーニングローラ９５とともにクリーニングユニットの一例としてのベルトクリーニングユニット９３を構成している。
【００７０】
そして、ベルトクリーニングユニット９３は、中間転写ベルト３０の表面に残存したトナーなどを、ベルトクリーニングローラ９５によってクリーニングする。ベルトクリーニングローラ９５に保持されたトナーは、一旦掻き取りローラ９６に保持された後、掻き取りブレード９８で掻き取られることにより、廃トナー収容部９４内に収容される。
（２−３）ＬＥＤユニット
各ＬＥＤユニット１６は、現像ドロワ１２２の現像ドロワフレーム１２６の両側板間に架設されるＬＥＤアレイ支持部材１０４と、ＬＥＤアレイ支持部材１０４に支持されるＬＥＤアレイ１０２とを備えている。
【００７１】
ＬＥＤアレイ支持部材１０４は、支持ビーム１０６と、ＬＥＤアレイ収容部１０３とを備えている。
【００７２】
支持ビーム１０６は、左右方向に延びる略角柱形状に形成されている。支持ビーム１０６の左右方向長さは、内側ケーシング４２の左右方向長さよりも長く形成されている。また、支持ビーム１０６は、現像ドロワフレーム１２６の両側板間に架設されている。
【００７３】
ＬＥＤアレイ収容部１０３は、左右方向に長手の有底略矩形枠形状に形成され、その底壁において支持ビーム１０６に連結されている。ＬＥＤアレイ収容部１０３の前後方向および左右方向の内寸は、それぞれ、ＬＥＤアレイ１０２の前後方向および左右方向の外寸とほぼ同じ（わずかに長い）である。
【００７４】
ＬＥＤアレイ１０２は、左右方向に延びる略杆形状に形成され、左右方向に並列配置される多数のＬＥＤを一体的に保持している。ＬＥＤアレイ１０２の左右方向長さは、感光ドラム２０の左右方向長さよりも短く、感光ドラム２０の通紙領域の左右方向長さよりも長い。
【００７５】
そして、ＬＥＤアレイ１０２は、その下端部において、ＬＥＤアレイ収容部１０３の上端部に相対移動可能に収容され、左右１対の圧縮ばね１０８により、ＬＥＤアレイ収容部１０３の底壁に弾性的に支持されている。
【００７６】
詳しくは、両圧縮ばね１０８は、一端がＬＥＤアレイ収容部１０３の底壁の左右方向端部に連結され、他端がＬＥＤアレイ１０２の左右方向端部に連結されている。これにより、ＬＥＤアレイ１０２は、ＬＥＤアレイ収容部１０３の底壁に対して、圧縮ばね１０８を介して弾性的に支持されている。
５．給紙トレイ
（１）給紙トレイの構成
給紙トレイ８は、図１および図４に示すように、有底略矩形枠形状に形成され、内側ケーシング４２の現像ドロワ支持部４６内に着脱可能に装着されている。給紙トレイ８の前壁は、フロントカバー７の手差しガイド４７に対して上下方向に間隔を隔てて対向するように、開口４３の上下方向長さよりも短い上下方向長さに形成されている。
【００７７】
また、給紙トレイ８の前壁の上端部には、下側に向かって開放される側断面視略Ｕ時形状の把持部５７が設けられている。
【００７８】
把持部５７は、給紙トレイ８の前壁の上端縁から前方に向かって延び、その前端部において前下側に屈曲されるように形成されている。これにより、把持部５７の上面は、前後方向に延びるように形成されている。
【００７９】
把持部５７の上面と、フロントカバー７の手差しガイド４７との隙間は、給紙トレイ８に収容されている用紙Ｐ以外の用紙Ｐが供給される手差し開口７５として区画される。
【００８０】
なお、把持部５７の前端部には、手差し開口７５の左右方向外側において、フロントカバー７の開口４３の周縁部に前側から対向される干渉部（図示せず）が設けられている。干渉部（図示せず）は、給紙トレイ８が本体ケーシング２に装着されているときに、フロントカバー７の開口４３の周縁部に前方から対向され、フロントカバー７の閉位置から開位置への移動を規制する。
【００８１】
また、給紙トレイ８は、用紙搬送部材６１と、用紙搬送部材６１を支持する左右１対の支持部材６２とを備えている。
【００８２】
用紙搬送部材６１は、前後方向に延びる略平板形状に形成されており、支持部材６２に対して着脱可能に構成されている。用紙搬送部材６１の左右方向長さは、給紙トレイ８の左右方向の内寸とほぼ同じである。
【００８３】
また、用紙搬送部材６１の前端部は、前下側に屈曲されており、給紙トレイ８の前壁の上端部に後方から対向されている。また、用紙搬送部材６１の前端部の上面には、後方に向かうに従って上側へ傾斜する前側ガイド面７６が形成されている。
【００８４】
また、用紙搬送部材６１の後端部は、後側へ向かう頂部を有する側面視略楔形状に形成されており、リフト部材９の後端部に前方から対向されている。また、用紙搬送部材６１の後端部の上面には、後方に向かうに従って下側へ傾斜する後側ガイド面７７が形成されている。
【００８５】
また、用紙搬送部材６１には、トレイ側ローラ収容開口６５が形成されている。また、用紙搬送部材６１は、支持部材６２に支持される被支持ボス６３と、用紙Ｐを搬送する搬送部材の一例としてのトレイ側搬送部材６４とを備えている。
【００８６】
トレイ側ローラ収容開口６５は、用紙搬送部材６１を上下方向に貫通する側面視矩形状に形成され、現像ドロワ１２２および給紙トレイ８が本体ケーシング２内に装着されたときに、現像ドロワフレーム１２６の各プロセス側ローラ収容開口８３に上下方向に対向するように配置されている。トレイ側ローラ収容開口６５の前後方向長さは、トレイ側ローラ部材６７（後述）の外径よりも長く、トレイ側ローラ収容開口６５の左右方向長さは、トレイ側ローラ部材６７（後述）の左右方向長さよりも長い。
【００８７】
被支持ボス６３は、用紙搬送部材６１の前後両端部において、左右方向両側面から左右方向外側へ突出する略円筒形状に形成されている。
【００８８】
トレイ側搬送部材６４は、１つのトレイ側ローラ軸６６と、トレイ側ローラ軸６６に相対回転不能に設けられる３つのトレイ側ローラ部材６７とを備えている。
【００８９】
トレイ側ローラ軸６６は、左右方向に延びる略円柱形状に形成されている。また、トレイ側ローラ軸６６は、用紙搬送部材６１の左右方向長さとほぼ同じ左右方向長さに形成されている。
【００９０】
各トレイ側ローラ部材６７は、用紙搬送部材６１の底壁の厚み（上下方向長さ）よりも長い外径、および、トレイ側ローラ軸６６の外径とほぼ等しい内径を有し、左右方向に延びる略円筒形状に形成されている。なお、各トレイ側ローラ部材６７は、プロセス側ローラ部材７３の左右方向長さよりも短い左右方向長さに形成されている。
【００９１】
そして、各トレイ側搬送部材６４は、各トレイ側ローラ部材６７が、用紙搬送部材６１の各トレイ側ローラ収容開口６５内にそれぞれ回転可能に収容されるとともに、トレイ側ローラ軸６６が、用紙搬送部材６１に回転可能に埋設されるように、用紙搬送部材６１に設けられている。
【００９２】
支持部材６２は、前後方向に延びる略平板形状に形成されている。支持部材６２の前後方向両端部には、用紙搬送部材６１の被支持ボス６３を受け入れる支持溝６８が形成されている。また、支持部材６２の下端部には、挿通ボス６９が設けられている。
【００９３】
支持溝６８は、支持部材６２の左右方向内面において、支持部材６２の上端縁から下側に向かって切り欠かれる略Ｕ字形状に形成されている。
【００９４】
挿通ボス６９は、支持部材６２の前後方向両端部と前後方向略中央に1つずつ設けられ、支持部材６２の左右方向外面から左右方向外側へ突出する略円柱形状に形成されている。
【００９５】
また、給紙トレイ８には、その左右方向両側壁において、支持部材６２の各挿通ボス６９に対応するように、３つのばね収容部５９と、３つの挿通穴６０とが形成されている。
【００９６】
各ばね収容部５９は、給紙トレイ８の左右方向両側壁内において、上下方向に延びる側面視略矩形状に形成されている。
【００９７】
各挿通穴６０は、上下方向に延びる長穴であり、左右方向に投影したときにばね収容部５９の上端部に重なるように、給紙トレイ８の左右方向両側壁の内面から外側へ向かって切り欠き形成されている。また、各挿通穴６０は、挿通ボス６９の直径よりも長い前後方向長さに形成されている。
【００９８】
そして、支持部材６２は、各挿通ボス６９が各挿通穴６０に挿通され、圧縮ばね５８を介して、ばね収容部５９の底壁に弾性的に支持されている。圧縮ばね５９は、その一端部が、挿通ボス６９に連結され、その他端部が、ばね収容部５９の底壁に連結されている。
【００９９】
そして、用紙搬送部材６１は、各被支持ボス６３が両支持部材６２の各支持溝６８に嵌合されることにより、その左右方向両端部において、両支持部材６２に支持されている。
【０１００】
これにより、用紙搬送部材６１は、圧縮ばね５８の付勢力により、常には上側に向かって付勢され、トレイ側ローラ部材６７がプロセス側ローラ部材７３に下方から圧接されるように、現像ドロワフレーム１２６に下側から対向されている。用紙搬送部材６１の上面は、現像ドロワフレーム１２６の下面に間隔を隔てて対向されている。
【０１０１】
なお、用紙搬送部材６１は、上側から押圧されたときには、圧縮ばね５８の付勢力に抗して、下側に水平移動される。
（２）第２搬送経路
図１を参照して、第２搬送経路における用紙Ｐの搬送を説明する。
【０１０２】
手差し開口７５に供給された用紙Ｐ（図１破線参照）は、フロントカバー７の手差しガイド４７、給紙トレイ８の把持部５７の上面、および、用紙搬送部材６１の前側ガイド面７６によって、最前方のプロセス側搬送部材７１と、最前方の各トレイ側搬送部材６４とのニップ部に案内される。
【０１０３】
そして、用紙Ｐは、各プロセス側搬送部材７１の駆動、および、各トレイ側搬送部材６４の従動により、現像ドロワフレーム１２６の下面と、用紙搬送部材６１の上面との間を前方から後方に向かって搬送される。
【０１０４】
その後、用紙Ｐは、用紙搬送部材６１の後端部において、後側ガイド面７７により、ピックアップローラ１０とリフト部材９との間に案内される（第２搬送経路）。
【０１０５】
つまり、第２搬送経路は、第１搬送経路における中間転写ベルト３０と二次転写ローラ２７との対向位置Ｎよりも用紙搬送方向上流側の、ピックアップローラ１０とリフト部材９との間に、手差し開口７５に供給された用紙Ｐを搬送する。
【０１０６】
言い換えると、第２搬送経路は、中間転写ベルト３０と二次転写ローラ２７との対向位置Ｎよりも用紙搬送方向上流側の、ピックアップローラ１０とリフト部材９との間において、第１搬送経路に合流されている。
【０１０７】
そして、ピックアップローラ１０とリフト部材９との間において、第２搬送経路から第１搬送経路に供給された用紙Ｐは、上記したように、ピックアップローラ１０の回転により、給紙ローラ１１と給紙パッド１２との間に送られる。その後、用紙Ｐは、給紙ローラ１１の回転により、給紙ローラ１１と各ピンチローラ１３との間を順次通過するように、上側の両レジストローラ１４間に向けて給紙され、レジストローラ１４の回転により、所定のタイミングで、中間転写ベルト３０と二次転写ローラ２７との対向位置Ｎに供給される。
【０１０８】
つまり、ピックアップローラ１０は、第１搬送経路と第２搬送経路とにおいて兼用されている。
（３）第２搬送経路のジャム処理
第２搬送経路において、搬送中に用紙Ｐが詰まった場合には、図５に示すように、まず、給紙トレイ８を前方に向かって引き出し、給紙トレイ８を本体ケーシング２から離脱させる。
【０１０９】
すると、詰まった用紙Ｐは、用紙搬送部材６１の上に載るように、給紙トレイ８とともに引き出されるか、給紙トレイ８が離脱されたことによりプロセスユニット１５の下方に形成される空間内に落下する。
【０１１０】
そして、用紙搬送部材６１の上に載っている用紙Ｐ、または、プロセスユニット１５の下方の空間内に落下している用紙Ｐを把持して除去する。
【０１１１】
このように、第２搬送経路内に詰まった用紙Ｐを除去する。
６．連動機構
（１）連動機構の構成
図２および図３に示すように、現像ドロワ支持部４６内には、フロントカバー７と現像ドロワ１２２とを連動させる左右１対の連動機構１３１が設けられている。また、現像ドロワ支持部４６には、その左右両側壁にそれぞれ、連動機構１３１の支持部材１３２（後述）を案内する前後１対の支持部材ガイド溝１３４が形成されている。
【０１１２】
各連動機構１３１は、現像ドロワ１２２をスライド可能に支持する支持部材１３２と、支持部材１３２とフロントカバー７とを連結する連結部材１３３とを備えている。
【０１１３】
支持部材１３２は、前後方向に延び、現像ドロワ１２２の前後方向長さよりも長い前後方向長さを有する略平板形状に形成されている。支持部材１３２には、現像ドロワ１２２の前側ころ８４１および後側ころ８５１を案内する第３ガイド溝１３０と、支持部材ガイド溝１３４に嵌合される前後１対のガイドボス１３５とが形成されている。
【０１１４】
第３ガイド溝１３０は、前側ころ８４１および後側ころ８５１を受け入れ可能な溝幅（上下方向長さ）で、支持部材１３２の前後方向ほぼ全幅にわたって、前後方向に延びる略直線形状に形成されている。
【０１１５】
両ガイドボス１３５は、支持部材１３２の左右方向外面から左右方向外側へ延びる略円柱形状に形成されており、支持部材１３２の前端部と後端部とに１つずつ設けられている。
【０１１６】
連結部材１３３は、前後方向に延びる略杆形状に形成され、前端部において、フロントカバー７に揺動可能に連結されている。また、連結部材１３３の後端部には、支持部材１３２の前側のガイドボス１３５に連結される連結穴１３６が形成されている。
【０１１７】
連結穴１３６は、前後方向に延びる長穴として形成されている。連結穴１３６は、支持部材１３２の前側のガイドボス１３５を受け入れ可能な上下方向長さに形成されている。
【０１１８】
両支持部材ガイド溝１３４は、現像ドロワ支持部４６の左右方向内面から左右方向外側へ切り欠かれる凹溝であり、前下側と後上側とを結ぶ方向に延びる側面視略クランク形状に形成されている。両支持部材ガイド溝１３４は、支持部材１３２の両ガイドボス１３５を受け入れ可能な溝幅に形成されている。
【０１１９】
また、両支持部材ガイド溝１３４は、現像ドロワ１２２の現像ドロワフレーム１２６から上側に突出する現像ユニット２２の突出長さより長い上下方向長さに形成されている。また、左右方向に投影したときに、両支持部材ガイド溝１３４の下端縁は、給紙トレイ８の直上（上側近傍）に配置され、両支持部材ガイド溝１３４の上端縁は、ドラムドロワ１２１の下側に配置されている。また、後側の支持部材ガイド溝１３４の上端部は、左右方向に投影したときに、ピックアップローラ１０と重なっている。
【０１２０】
そして、支持部材１３２は、前側のガイドボス１３５が、連結部材１３３の連結穴１３６を貫通して、前側の支持部材ガイド溝１３４に嵌合されるとともに、後側のガイドボス１３５が、後側の支持部材ガイド溝１３４に嵌合されることにより、連結部材１３３を介してフロントカバー７に連結されるとともに、現像ドロワ支持部４６の側壁に支持されている。
【０１２１】
フロントカバー７が閉位置に配置されているときには、支持部材１３２は、前後両ガイドボス１３５が対応する支持部材ガイド溝１３４の後上側端部に嵌合される第１位置に配置されている。
【０１２２】
そして、フロントカバー７を閉位置から開位置へ移動させると、支持部材１３２は、連結部材１３３によって前下側へ引っ張られて、各ガイドボス１３５において各支持部材ガイド溝１３４に案内されながら前下側へスライドされる。
【０１２３】
そして、フロントカバー７が開位置に配置されると、支持部材１３２は、前後両ガイドボス１３５が対応する支持部材ガイド溝１３４の前下側端部に嵌合される第２位置（図６参照）に配置される。
【０１２４】
なお、フロントカバー７を開位置から閉位置へ移動させると、支持部材１３２は、連結部材１３３によって後上側へ押圧されて、各ガイドボス１３５において各支持部材ガイド溝１３４に案内されながら後上側へスライドされ、第２位置から第１位置へ移動される。
（２）フロントカバーと現像ドロワとの連動
現像ドロワ１２２は、図６および図８に示すように、その前側ころ８４１および後側ころ８５１が支持部材１３２の第３ガイド溝１３０に回転可能に内嵌されることにより、支持部材１３２に前後方向にスライド可能に支持されている。
【０１２５】
そして、図１および図２に示すように、フロントカバー７が閉位置に配置され、支持部材１３２が第１位置に配置されているときには、現像ドロワ１２２は、各現像ローラ２３を各感光ドラム２０に下側から接触させるように、感光ドラム２０に近接する近接位置（図１参照）に保持されている。
【０１２６】
このとき、各現像ローラ２３は、対応する感光ドラム２０に前下側から接触されている。また、各ＬＥＤユニット１６は、そのＬＥＤアレイ１０２が感光ドラム２０に対して、所定の間隔を隔てて露光可能に対向配置されるように位置決めされている。
【０１２７】
そして、図３および図６に示すように、フロントカバー７を閉位置から開位置に移動させると、支持部材１３２が第１位置から第２位置へ移動され、現像ドロワ１２２が退避位置に配置される。
【０１２８】
このとき、各現像ユニット２２および各ＬＥＤユニット１６は、ドラムドロワ１２１に干渉しないように、ドラムドロワ１２１から下側へ引き抜かれている（図６参照）。
【０１２９】
なお、フロントカバー７を開位置から閉位置に移動させると、支持部材１３２が第２位置から第１位置へ移動され、現像ドロワ１２２が近接位置へ配置される。このとき、現像ドロワ１２２の後端部は、ピックアップローラ１０の前側に設けられるストッパ１２０に当接され、位置決めされる（図１参照）。
７．ドラムドロワおよび現像ユニットの着脱
ドラムドロワ１２１および現像ユニット２２を本体ケーシング２に対して着脱するには、まず、図５に示すように、給紙トレイ８を、前方に向かって引き出して本体ケーシング２から離脱させる。
【０１３０】
次いで、フロントカバー７を閉位置から開位置へ移動させて、本体開口部６を開放する。
【０１３１】
すると、図６に示すように、フロントカバー７の移動に連動して、現像ドロワ１２２が、給紙トレイ８が本体ケーシング２から離脱されることによって形成される空間に退避されるように、退避位置へ移動される。
【０１３２】
次いで、ドラムドロワ１２１を本体ケーシング２から離脱させるには、図７に示すように、本体ケーシング２から、本体開口部６を介して、ドラムドロワ１２１を前方に引き出す。
【０１３３】
すると、第１ガイド溝５２の後端部において、ドラムドロワ１２１の後側ころ８５が板ばね５３から外れるとともに、第２ガイド溝５４の後端部において、ドラムドロワ１２１の前側ころ８４が板ばね５５から外れて、ドラムドロワ１２１は、各感光ドラム２０が中間転写ベルト３０の下側部分から離間するように、下側へ移動される。
【０１３４】
その後、さらにドラムドロワ１２１を前方に引き出すと、ドラムドロワ１２１は、第１ガイド溝５２および第２ガイド溝５４に案内されて、中間転写ベルト３０の下側部分とわずかに間隔を隔てながら、引き出され、本体ケーシング２から離脱される。
【０１３５】
また、現像ユニット２２を本体ケーシング２に対して着脱するには、図８に示すように、本体ケーシング２から、本体開口部６を介して、現像ドロワ１２２を前方に引き出す。
【０１３６】
そして、引き出された現像ドロワ１２２に対して各現像ユニット２２を着脱する。詳しくは、現像ユニット２２を現像ドロワ１２２から離脱させるには、現像ユニット２２を上側に引き抜く。また、現像ユニット２２を現像ドロワ１２２に装着するには、現像ユニット２２を、所定の位置に位置決めし、上側から現像ドロワ１２２の現像ドロワフレーム１２６内に挿入する。
【０１３７】
なお、ドラムドロワ１２１および現像ドロワ１２２を本体ケーシング２内に装着するには、上記した引き出し動作と逆に操作する。
【０１３８】
具体的には、ドラムドロワ１２１を本体ケーシング２内に装着するには、ドラムドロワ１２１を、第１ガイド溝５２および第２ガイド溝５４に沿って本体ケーシング２内に挿入する。
【０１３９】
このとき、ドラムドロワ１２１は、第１ガイド溝５２および第２ガイド溝５４に案内されて、中間転写ベルト３０の下側部分とわずかに間隔を隔てながら挿入される。
【０１４０】
そして、第１ガイド溝５２の後端部において、ドラムドロワ１２１の後側ころ８５が板ばね５３に乗り上げるとともに、第２ガイド溝５４の後端部において、ドラムドロワ１２１の前側ころ８４が板ばね５５に乗り上げると、ドラムドロワ１２１は、各感光ドラム２０が中間転写ベルト３０の下側部分に接触するように、上側へ移動される。
【０１４１】
これにより、ドラムドロワ１２１は、板ばね５３および板ばね５５の付勢力により、常には、上側に向かって付勢されるように、本体ケーシング２に装着される。
【０１４２】
また、現像ドロワ１２２を本体ケーシング２内に装着するには、まず、現像ドロワ１２２を、両支持部材１３２の第３ガイド溝１３０に沿って本体ケーシング２内に挿入し、その後、フロントカバー７を開位置から閉位置へ移動させて、上記したように、現像ドロワ１２２を近接位置へ移動させる。
【０１４３】
そして、フロントカバー７を閉位置へ配置した後、フロントカバー７の開口４３を介して、給紙トレイ８を本体ケーシング２に装着する。
８．作用効果
（１）このカラープリンタ１によれば、図７に示すように、プロセスユニット１５のドラムドロワ１２１は、給紙トレイ８が本体ケーシング２から離脱されることにより形成される空間に、現像ドロワ１２２が退避された後、中間転写ベルト３０から離間するように引出位置に移動される。
【０１４４】
そのため、本体ケーシング２内に、別途、ドラムドロワ１２１を中間転写ベルト３０から退避させるための空間を設けることなく、給紙トレイ８が本体ケーシング２から離脱されることにより形成される空間を利用して、ドラムドロワ１２１を中間転写ベルト３０から退避させることができる。
【０１４５】
その結果、各感光ドラム２０を保持するドラムドロワ１２１を本体ケーシング２から引き出し可能に有しながら、その大型化を抑制することができる。
（２）このカラープリンタ１によれば、図７に示すように、プロセスユニット１５の現像ドロワ１２２は、給紙トレイ８が本体ケーシング２から離脱されることにより形成される空間に退避された後、引出位置に移動される。
【０１４６】
そのため、給紙トレイ８が本体ケーシング２から離脱されることにより形成される空間に、現像ドロワ１２２を退避させることにより、ドラムドロワ１２１を中間転写ベルト３０から退避させるための空間を確保することができる。
【０１４７】
これにより、本体ケーシング２内に、別途、ドラムドロワ１２１を中間転写ベルト３０から退避させるための空間を設けることなく、ドラムドロワ１２１を中間転写ベルト３０から退避させることができる。
【０１４８】
その結果、各感光ドラム２０を保持するドラムドロワ１２１を本体ケーシング２から引き出し可能に有しながら、その大型化を抑制することができる。
（３）また、このカラープリンタ１によれば、図１および図６に示すように、本体ケーシング２は、フロントカバー７の閉位置から開位置への移動に連動して、現像ドロワ１２２を装着位置から退避させ、フロントカバー７の開位置から閉位置への移動に連動して、現像ドロワ１２２を退避された状態から装着位置へ移動させる連動機構１３１を備えている。
【０１４９】
そのため、フロントカバー７を開位置へ移動させることにより、確実に、現像ドロワ１２２を各感光ドラム２０から退避させることができる。
【０１５０】
その結果、ドラムドロワ１２１および現像ドロワ１２２を本体ケーシング２に対して移動させるときに、ドラムドロワ１２１および現像ドロワ１２２が互いに干渉することを、防止することができる。
【０１５１】
また、フロントカバー７を閉位置へ移動させることにより、現像ドロワ１２２を、確実に、装着位置に移動させることができる。
（４）また、このカラープリンタ１によれば、図１に示すように、各ＬＥＤユニット１６は、現像ドロワ１２２に設けられている。
【０１５２】
そのため、各ＬＥＤユニット１６を、各現像ユニット２２とともに、対応する感光ドラム２０から離間させることができ、ドラムドロワ１２１および現像ドロワ１２２を本体ケーシング２に対して移動させるときに、各ＬＥＤユニット１６がドラムドロワ１２１に干渉することを防止することができる。
（５）また、このカラープリンタ１によれば、図１に示すように、中間転写ベルト３０に対して感光ドラム２０と同じ方向（下側）から対向され、中間転写ベルト３０をクリーニングするベルトクリーニングユニット９３を備えている。
【０１５３】
そのため、ベルトクリーニングユニット９３を、中間転写ベルト３０に対して感光ドラム２０と反対の方向（上側）から対向するように、配置した場合と比べて、上下方向（中間転写ベルト３０と各感光ドラム２０との対向方向）に、カラープリンタ１を小型化することができる。
（６）また、このカラープリンタ１によれば、図１に示すように、現像ドロワ１２２に支持されるブラック現像ユニット２２Ｋに、廃トナーを収容する廃トナー収容部９４が設けられている。
【０１５４】
そのため、交換頻度の高いブラック現像ユニット２２Ｋとともに、効率よく、廃トナー収容部９４を交換することができる。
（７）また、このカラープリンタ１によれば、図１および図４に示すように、給紙トレイ８は、手差し開口７５から第２搬送経路に供給された用紙Ｐを搬送するトレイ側搬送部材６４を備えている。
【０１５５】
そのため、給紙トレイ８を利用して第２搬送経路を形成することができ、新たに第２搬送経路を形成する場合と比べて、カラープリンタ１を小型化することができる。
【０１５６】
また、給紙トレイ８を本体ケーシング２から離脱させることにより、第２搬送経路を上下方向に開放することができ、第２搬送経路内に詰まった用紙Ｐを容易に除去することができる。
【０１５７】
つまり、ユーザは、給紙トレイ８を前側に引き出すこと（いわゆるフロントアクセス）により、第２搬送経路内に詰まった用紙Ｐを容易に除去することができる。
【０１５８】
具体的には、第２搬送経路内に詰まった用紙Ｐを、給紙トレイ８とともに引き出すか、給紙トレイ８が離脱されたことによりプロセスユニット１５の下方に形成される空間内に落下させることができる。
【０１５９】
そして、用紙搬送部材６１の上に載っている用紙Ｐ、または、プロセスユニット１５の下方の空間内に落下している用紙Ｐを、容易に把持して除去することができる。
（８）また、このカラープリンタ１によれば、図１に示すように、プロセスユニット１５の現像ドロワ１２２が装着位置に配置されている状態において、前後方向に投影したときに、ピックアップローラ１０は、現像ドロワ１２２と重なるように配置されている。
【０１６０】
具体的には、給紙トレイ８の上側に配置されるピックアップローラ１０が、現像ドロワ１２２の後側に配置されている。
【０１６１】
そのため、プロセスユニット１５と給紙トレイ８とを上下方向に近接させることができ、カラープリンタ１を薄型化（上下方向に小型化）することができる。
９．第２実施形態
図９〜図１１を参照して、本発明の第２実施形態について説明する。なお、第２実施形態において、第１実施形態と同様の部材には同様の符号を付し、その説明を省略する。
【０１６２】
上記した第１実施形態では、プロセスユニット１５を、各感光ドラム２０および各スコロトロン型帯電器２１を保持するドラムドロワ１２１と、各現像ユニット２２および各ＬＥＤユニット１６を保持する現像ドロワ１２２とに、分割するように構成している。
【０１６３】
対して、第２実施形態では、図９に示すように、保持ユニットの一例としてのプロセスユニット１４１に、各感光ドラム２０、各スコロトロン型帯電器２１、各現像ユニット２２および各ＬＥＤユニット１６を一体的に保持させ、プロセスユニット１５全体を、給紙トレイ８が本体ケーシング２から離脱されることによって形成される空間に退避させる。
【０１６４】
なお、第２実施形態では、図１０および図１１に示すように、内側ケーシング４２には、第１実施形態のようなドラムドロワ支持部４５と現像ドロワ支持部４６との区別はなく、プロセスユニット１４１は、内側ケーシング４２のプロセス支持部１４２（第１実施形態のドラムドロワ支持部４５および現像ドロワ支持部４６に相当する部分）に、支持されている。
【０１６５】
プロセスユニット１４１は、各色に対応するプロセスカートリッジ１４０と、各ＬＥＤユニット１６とを一体的に保持している。各プロセスカートリッジ１４０は、感光ドラム２０、スコロトロン型帯電器２１および現像ユニット２２を一体的に保持している。そして、各プロセスカートリッジ１４０は、ガイド溝（図示せず）にガイドされることにより、プロセスユニット１４１に対して着脱可能に設けられている。
【０１６６】
また、プロセスユニット１４１は、その左右両側壁の前端部外側に回転可能に設けられる前側ころ８４と、その左右両側壁の後端部外側に回転可能に設けられる後側ころ８５とを備えている。
【０１６７】
プロセス支持部１４２は、第１実施形態の連動機構１３１と同様の連動機構を備えており、連動機構１３１の第３ガイド溝１３０には、プロセスユニット１４１の前側ころ８４および後側ころ８５が回転可能に内嵌されている。
【０１６８】
プロセスカートリッジ１４０を本体ケーシング２に対して着脱するには、まず、給紙トレイ８を、前方に向かって引き出して本体ケーシング２から離脱させ、フロントカバー７を閉位置から開位置へ移動させて、本体開口部６を開放する。
【０１６９】
すると、図１０に示すように、フロントカバー７の移動に連動して、プロセスユニット１４１が、給紙トレイ８が本体ケーシング２から離脱されることによって形成される空間に退避されるように、退避位置へ移動される。
【０１７０】
次いで、プロセスカートリッジ１４０を本体ケーシング２に対して着脱するには、図１１に示すように、本体ケーシング２から、本体開口部６を介して、プロセスユニット１４１を前方に引き出す。
【０１７１】
そして、引き出されたプロセスユニット１４１に対して各プロセスカートリッジ１４０を着脱する。詳しくは、プロセスカートリッジ１４０をプロセスユニット１４１から離脱させるには、プロセスカートリッジ１４０を上側に引き抜く。また、プロセスカートリッジ１４０をプロセスユニット１４１に装着するには、プロセスカートリッジ１４０を、所定の位置に位置決めし、上側からプロセスユニット１４１に挿入する。
【０１７２】
なお、プロセスユニット１４１を本体ケーシング２内に装着するには、上記した引き出し動作と逆に操作する。
【０１７３】
具体的には、まず、プロセスユニット１４１を、両支持部材１３２の第３ガイド溝１３０に沿って本体ケーシング２内に挿入し、その後、フロントカバー７を開位置から閉位置へ移動させて、プロセスユニット１４１を装着位置へ移動させる。
【０１７４】
そして、フロントカバー７を閉位置へ配置した後、フロントカバー７の開口４３を介して、給紙トレイ８を本体ケーシング２に装着する。
【０１７５】
第２実施形態のカラープリンタ１によれば、図１１に示すように、プロセスユニット１４１は、給紙トレイ８が本体ケーシング２から離脱されることにより形成される空間に退避されて、中間転写ベルト３０から離間された後、引出位置に移動される。
【０１７６】
そのため、本体ケーシング２内に、別途、プロセスユニット１４１を中間転写ベルト３０から退避させるための空間を設けることなく、給紙トレイ８が本体ケーシング２から離脱されることにより形成される空間を利用して、プロセスユニット１４１を中間転写ベルト３０から退避させることができる。
【０１７７】
その結果、各感光ドラム２０を保持するプロセスユニット１４１を本体ケーシング２から引き出し可能に有しながら、その大型化を抑制することができる。
【０１７８】
また、第２実施形態のカラープリンタ１によれば、図９および図１０に示すように、本体ケーシング２は、フロントカバー７の閉位置から開位置への移動に連動して、プロセスユニット１４１を装着位置から退避させ、フロントカバー７の開位置から閉位置への移動に連動して、プロセスユニット１４１を退避された状態から装着位置へ移動させる連動機構１３１を備えている。
【０１７９】
そのため、フロントカバー７を開位置へ移動させることにより、確実に、プロセスユニット１４１を中間転写ベルト３０から退避させることができる。
【０１８０】
また、フロントカバー７を閉位置へ移動させることにより、プロセスユニット１４１を、確実に、装着位置に移動させることができる。
【０１８１】
また、第２実施形態においても、第１実施形態と同様の作用効果を得ることができる。
【符号の説明】
【０１８２】
１      カラープリンタ
２      本体ケーシング
６      本体側開口
７      フロントカバー
８      給紙トレイ
１０    ピックアップローラ
１５    プロセスユニット
１６    ＬＥＤユニット
２０    感光ドラム
２３    現像ローラ
３０    中間転写ベルト
６４    トレイ側搬送部材
９３    ベルトクリーニングユニット
９４    廃トナー収容部
１２１  ドラムドロワ
１２２  現像ドロワ
１３１  連動機構
１４１  プロセスユニット
Ｐ      用紙
【図１】
0005750923.tif 000002
【図２】
0005750923.tif 000003
【図３】
0005750923.tif 000004
【図４】
0005750923.tif 000005
【図５】
0005750923.tif 000006
【図６】
0005750923.tif 000007
【図７】
0005750923.tif 000008
【図８】
0005750923.tif 000009
【図９】
0005750923.tif 000010
【図１０】
0005750923.tif 000011
【図１１】
0005750923.tif 000012